(57)【要約】      （修正有）【課題】生ゴミ処理機の提供。【解決手段】機台１０に収容室１１と浄水室１２が設置され、該収容室中にふるい分け装置２０が設置され、該ふるい分け装置が駆動装置３０により駆動され、該ふるい分け装置中に迅速に有機物を菌化分解する複合菌が設けられ、生ゴミがふるい分け装置に投入された後、有機物を複合菌の発酵分解により水に転化し、浄水室に導入し、除臭、殺菌を行ない、水化できない無機物はふるい分け装置の制限により分離し、これにより集中処理の目的を達成する。【選択図】図１
0003101579.tif 000002
【実用新案登録請求の範囲】
【請求項１】
機台、ふるい分け装置、駆動装置、導入装置からなる生ゴミ処理機であり、
該機台は、内部に導管で接続された収容室と浄水室が設置され、
該ふるい分け装置は、機台の収容室中に設置され、中央に収容空間があり、該収容空間中に有機物を迅速に菌化分解できる複合菌が設けられ、
該駆動装置は、ふるい分け装置を駆動し、
該導入装置は、機台の一側に設置され、並びに導入口が設置されて導入管が延伸され、該導入管がふるい分け装置の収容空間内に接続され、
これにより、生ゴミが導入装置よりふるい分け装置の収容空間中に投入される時、ふるい分け装置が駆動装置により駆動されてふるい分け装置内部の複合菌が生ゴミ中の有機物と迅速に発酵分解し並びに水化して水を生成し、この水を導管で浄水室に導入し、除臭、殺菌を行なうよう形成されたことを特徴とする、生ゴミ処理機。
【請求項２】
請求項１記載の生ゴミ処理機において、導管中に濾過器が設置されたことを特徴とする、生ゴミ処理機。
【請求項３】
請求項１記載の生ゴミ処理機において、収容室中に温度コントローラが設置されて収容室内の温度が５℃〜８０℃に制御されることを特徴とする、生ゴミ処理機。
【請求項４】
請求項１記載の生ゴミ処理機において、収容室内壁に管路が接続され、該管路が機台外部の入水管に接続され、該入水管が制御弁に接続され、且つ管路に複数の噴射孔が設けられたことを特徴とする、生ゴミ処理機。
【請求項５】
請求項１記載の生ゴミ処理機において、ふるい分け装置の外壁周囲に複数の貫通孔が環状に配設されたことを特徴とする、生ゴミ処理機。
【請求項６】
請求項５記載の生ゴミ処理機において、ふるい分け装置の外壁が格子状を呈することを特徴とする、生ゴミ処理機。
【請求項７】
請求項５記載の生ゴミ処理機において、ふるい分け装置の内壁に突起部が環状に配設されて該突起部がふるい分け装置内の生ゴミを十分に転がして生ゴミ内の有機物を迅速確実に水化分解させることを特徴とする、生ゴミ処理機。
【請求項８】
請求項１記載の生ゴミ処理機において、駆動装置が駆動器、伝動手段、連動手段を具え、該連動手段が伝動手段と駆動器に駆動され、該連動手段より中空軸受が延伸されてふるい分け装置と接続され、該中空軸受内部に滑動手段が設けられたことを特徴とする、生ゴミ処理機。
【請求項９】
請求項８記載の生ゴミ処理機において、連動手段、伝動手段、駆動器が歯車とチェーンを利用して伝動することを特徴とする、生ゴミ処理機。
【請求項１０】
請求項８記載の生ゴミ処理機において、連動手段、伝動手段、駆動器がベルトとプーリを利用して伝動することを特徴とする、生ゴミ処理機。
【請求項１１】
請求項８記載の生ゴミ処理機において、中空軸受内部に導入管が挿通され、並びにふるい分け装置の収容空間内に接続されたことを特徴とする、生ゴミ処理機。
【請求項１２】
請求項１記載の生ゴミ処理機において、機台の導入装置に対応する一側に第２導入装置が設けられ、該第２導入装置より第２導入管が延伸されてふるい分け装置の収容空間中に接続され、導入装置と第２導入装置により同時に生ゴミを導入できることを特徴とする、生ゴミ処理機。
【請求項１３】
請求項１記載の生ゴミ処理機において、浄水室中に殺菌装置が設けられ、有機物が分解菌化されて生成した水が導管より浄水室に流入した後に、該殺菌装置により殺菌して機台外に排出することを特徴とする、生ゴミ処理機。
【考案の詳細な説明】
【技術分野】
【０００１】
本考案は迅速に生ゴミ中の有機物を分解でき、並びに分解不能の無機物を集めて処理する生ゴミ処理機に関する。
【背景技術】
【０００２】
水、空気及び食物は、生物が生命を維持するための三大要素であり、人類は三食で一日に消費するエネルギーを補充する必要がある。物質生活品質の向上により、一日三度の食事はますます重視されるようになり、栄養バランスに対する配慮のほか、視覚上も消費者の食欲と購入意欲をかき立て、多くの人を吸引する工夫がなされている。
【０００３】
料理は往々にして材料の最も美味しい部分のみを使用して調理することで、繊細な味と食感を求め、料理の美しい外観を求める前提のもと、食品自体の食感で消費者を引きつけるほか、全体の陳列の美しさも求められる。
【０００４】
一般に料理を装飾するための物品は、ほとんどが彫刻加工を施した野菜や果物、或いは花朶とされるが、このような装飾品は食べられずに廃棄されることが多い。
【０００５】
また、レストランや公共機関、家庭或いは学校で経常的に作りすぎて余った料理や食べ残しが大量の生ゴミとなる。このため、生ゴミが大量に出る場所では生ゴミ処理機が必需品となっている。
【０００６】
現在市販されている生ゴミ処理機は有機物も無機物も一緒にして攪拌、粉砕し、押圧、脱水等のプロセスにより生ゴミ中に含まれる水分及び残さを分離し、攪拌、押圧後に発生する水分中には残さが含まれ、粘ちょう状を呈し、並びに悪臭を発生しやすいため、濾過、消毒し、浄水設備により希釈して水質を浄化してからでなければ排出できない。
【０００７】
水分分離後の残さはゴミと合わせて処理されるが、大部分の厨房では有機物と無機物が一緒に置かれるため、ゴミの量を大幅に増し、また、ゴミ処理上の大きな問題となっている。
【考案の開示】
【考案が解決しようとする課題】
【０００８】
本考案は一種の生ゴミ処理機を提供し、それは機台内部の収容室と浄水室が設けられ、該収容室内にふるい分け装置が設置され、該ふるい分け装置が駆動装置により駆動され、該ふるい分け装置中に迅速に有機物を菌化分解する複合菌が設けられ、並びに生ゴミの進入に供される導入装置が外接されている。
【０００９】
本考案の目的は、上述の生ゴミ処理機の機構により、有機物と無機物を含む生ゴミを導入装置よりふるい分け装置内部に導入する時、有機物を複合菌を利用して発酵分解させ並びに水に転化し、浄水室に導入して除臭、殺菌を行ない、水化できない無機物はふるい分け装置の制限により分離し、これにより集中処理の目的を達成することにある。
【００１０】
本考案のもう一つの目的は、浄水室により、生ゴミ分解後に発生する水を機台内で直接  濾過、除臭、消毒してから機台より排出し、これにより生ゴミ処理の時間を短縮すると共に浄水装置を外接する空間を節約することにある。
【課題を解決するための手段】
【００１１】
請求項１の考案は、機台、ふるい分け装置、駆動装置、導入装置からなる生ゴミ処理機であり、
該機台は、内部に導管で接続された収容室と浄水室が設置され、
該ふるい分け装置は、機台の収容室中に設置され、中央に収容空間があり、該収容空間中に有機物を迅速に菌化分解できる複合菌が設けられ、
該駆動装置は、ふるい分け装置を駆動し、
該導入装置は、機台の一側に設置され、並びに導入口が設置されて導入管が延伸され、該導入管がふるい分け装置の収容空間内に接続され、
これにより、生ゴミが導入装置よりふるい分け装置の収容空間中に投入される時、ふるい分け装置が駆動装置により駆動されてふるい分け装置内部の複合菌が生ゴミ中の有機物と迅速に発酵分解し並びに水化して水を生成し、この水を導管で浄水室に導入し、除臭、殺菌を行なうよう形成されたことを特徴とする、生ゴミ処理機としている。
請求項２の考案は、請求項１記載の生ゴミ処理機において、導管中に濾過器が設置されたことを特徴とする、生ゴミ処理機としている。
請求項３の考案は、請求項１記載の生ゴミ処理機において、収容室中に温度コントローラが設置されて収容室内の温度が５℃〜８０℃に制御されることを特徴とする、生ゴミ処理機としている。
請求項４の考案は、請求項１記載の生ゴミ処理機において、収容室内壁に管路が接続され、該管路が機台外部の入水管に接続され、該入水管が制御弁に接続され、且つ管路に複数の噴射孔が設けられたことを特徴とする、生ゴミ処理機としている。
請求項５の考案は、請求項１記載の生ゴミ処理機において、ふるい分け装置の外壁周囲に複数の貫通孔が環状に配設されたことを特徴とする、生ゴミ処理機としている。
請求項６の考案は、請求項５記載の生ゴミ処理機において、ふるい分け装置の外壁が格子状を呈することを特徴とする、生ゴミ処理機としている。
請求項７の考案は、請求項５記載の生ゴミ処理機において、ふるい分け装置の内壁に突起部が環状に配設されて該突起部がふるい分け装置内の生ゴミを十分に転がして生ゴミ内の有機物を迅速確実に水化分解させることを特徴とする、生ゴミ処理機としている。
請求項８の考案は、請求項１記載の生ゴミ処理機において、駆動装置が駆動器、伝動手段、連動手段を具え、該連動手段が伝動手段と駆動器に駆動され、該連動手段より中空軸受が延伸されてふるい分け装置と接続され、該中空軸受内部に滑動手段が設けられたことを特徴とする、生ゴミ処理機としている。
請求項９の考案は、請求項８記載の生ゴミ処理機において、連動手段、伝動手段、駆動器が歯車とチェーンを利用して伝動することを特徴とする、生ゴミ処理機としている。
請求項１０の考案は、請求項８記載の生ゴミ処理機において、連動手段、伝動手段、駆動器がベルトとプーリを利用して伝動することを特徴とする、生ゴミ処理機としている。
請求項１１の考案は、請求項８記載の生ゴミ処理機において、中空軸受内部に導入管が挿通され、並びにふるい分け装置の収容空間内に接続されたことを特徴とする、生ゴミ処理機としている。
請求項１２の考案は、請求項１記載の生ゴミ処理機において、機台の導入装置に対応する一側に第２導入装置が設けられ、該第２導入装置より第２導入管が延伸されてふるい分け装置の収容空間中に接続され、導入装置と第２導入装置により同時に生ゴミを導入できることを特徴とする、生ゴミ処理機としている。
請求項１３の考案は、請求項１記載の生ゴミ処理機において、浄水室中に殺菌装置が設けられ、有機物が分解菌化されて生成した水が導管より浄水室に流入した後に、該殺菌装置により殺菌して機台外に排出することを特徴とする、生ゴミ処理機としている。
【考案の効果】
【００１２】
本考案は、上述の生ゴミ処理機の機構により、有機物と無機物を含む生ゴミを導入装置よりふるい分け装置内部に導入する時、有機物を複合菌を利用して発酵分解させ並びに水に転化し、浄水室に導入して除臭、殺菌を行ない、水化できない無機物はふるい分け装置の制限により分離し、これにより集中処理の目的を達成している。
【００１３】
本考案はまた、浄水室により、生ゴミ分解後に発生する水を機台内で直接  濾過、除臭、消毒してから機台より排出し、これにより生ゴミ処理の時間を短縮すると共に浄水装置を外接する空間を節約できる。
【考案を実施するための最良の形態】
【００１４】
図１及び図２に示されるように、本考案の生ゴミ処理機は、機台１０、ふるい分け装置２０、駆動装置３０、導入装置４０からなる。
【００１５】
該機台１０は、内部に導管１３で接続された収容室１１と浄水室１２があり、導管１３中に濾過器１４が設置され、収容室１１中に温度コントローラ１５が設けられ、並びに収容室１１の内壁に管路１６が接続され、該管路１６は機台１０外部の入水管５０に接続され、入水管５０に制御弁５１が接続され、且つ管路１６に複数の噴射孔１７が設けられている。
【００１６】
該ふるい分け装置２０は、機台１０の収容室１１中に設置され、中央に収容空間２１があり、該収容空間２１中に迅速に有機物を菌化分解する複合菌が設けられ、外壁周囲に複数の貫通孔２２が環状に配設されている。
【００１７】
該駆動装置３０は、ふるい分け装置２０を駆動し、駆動器３１、伝動手段３２、及び連動手段３３を具え、該連動手段３３は伝動手段３２と駆動器３１により駆動され、該連動手段３３より延伸された中空軸受３４がふるい分け装置２０に接続され、該中空軸受３４内部に滑動手段３５が設置されている。
【００１８】
該導入装置４０は機台１０の一側に設置され、並びに導入口４１を具え、該導入口４１より導入管４２が延伸されて中空軸受３４内部を通り、ふるい分け装置２０の収容空間２１内に接続されている。
【００１９】
これにより、生ゴミが導入装置４０よりふるい分け装置２０の収容空間２１中に投入されると、ふるい分け装置２０が駆動装置３０により駆動さ、収容室１１内部の管路１６が制御弁５１の給水量制御を受けて噴射孔１７よりふるい分け装置２０に噴水し、且つ温度コントローラ１５により収容室１１内の温度が恒常的に５℃〜８０℃に保持されて、ふるい分け装置２０内部の複合菌と生ゴミ中の有機物が発酵分解し並びに水化して水を生成し、水化後の水がふるい分け装置２０の貫通孔２２より排出され、並びに導管１３で濾過器１４に送られた後に浄水室１２に導入されて、除臭、殺菌が行なわれる。
【００２０】
該連動手段３３より延伸された中空軸受３４内に滑動手段３５が設けられたことにより、導入管４２が中空軸受３４内に通される時、該連動手段３３が滑動手段３５により導入管４２外部で駆動されると共に、ふるい分け装置２０を駆動する。
【００２１】
生ゴミ中の無機物は、菌化により分解されないため、無機物はふるい分け装置２０の隔離によりふるい分け装置２０の外部に排出されず、ふるい分け装置２０中に集められる。また機台１０とふるい分け装置２０の対応する位置に第１溝口１８と第２溝口２３が設けられ、ふるい分け装置２０が運転停止状態で、第２溝口２３が第１溝口１８と対向し、これにより第１溝口１８と第２溝口２３よりふるい分け装置２０内に集められた無機物を取り出すことができ、並びに適時に発酵分解過程中に必要な複合菌を補充できる。
【００２２】
図３も参照されたい。浄水室１２中には殺菌装置６０が設けられ、これにより有機物の分解菌化により発生する水が導管１３より浄水室１２に流入した後、殺菌装置６０により殺菌され、さらに機台１０外部に排出される。
【００２３】
図４は本考案のフローチャートであり、該複合菌は穀類（蕎麦、籾）の殻体外部に噴射され、これにより穀類外部が複合菌に被覆され（これは周知の技術であるため詳細な説明は省略する）、機台１０のふるい分け装置２０内に投入され、穀類殻体の体積はふるい分け装置２０の貫通孔２２より大きいため、ふるい分け装置２０内に置かれて脱落せず、生ゴミがふるい分け装置２０に投入された後、機台１０内部の温度と湿度が制御されて殻体に付着した複合菌が釈放され、並びに生ゴミの菌化と分解を行ない、さらに濾過と殺菌により、きれいな水とされた後に排出される。
【００２４】
図５から図７を参照されたい。機台１０の導入装置４０に対応する一側に、別に第２導入装置７０が設置され、該第２導入装置７０より第２導入管７１が延伸されてふるい分け装置２０の収容空間２１中に接続され、導入装置４０と第２導入装置７０が同時に生ゴミを導入することができる。ふるい分け装置２０の外壁は格子状に形成可能で、且つふるい分け装置２０の内壁に突起部２４が環状に配設され、該突起部２４によりふるい分け装置２０内の生ゴミが十分に転がされて生ゴミ内に含まれる有機物が迅速、確実に水化分解される。
【００２５】
図２と図８に示されるように、駆動装置３０は駆動器３１、伝動手段３２及び連動手段３３で構成され、該連動手段３３、伝動手段３２と駆動器３１は歯車とチェーンを利用して伝動するか或いはベルトとプーリで伝動する。
【００２６】
全ての図を参照されたい。本考案は複合菌を付着させた穀類殻体をふるい分け装置２０の収容空間２１中に投入し、穀類殻体の体積がふるい分け装置２０の貫通孔２２或いは格子よりも大きいことにより、殻体をふるい分け装置２０内に放置して脱落しないようにする。これにより機台１０が適当な温度と湿度を発生するとき、複合菌が殻体より離脱して有機物に対して分解菌化を行ない、菌化できない無機物はふるい分け装置２０中に残留し、これにより有効に有機物と無機物を分離し、並びに複合菌の流失を防止し、且つ第１溝口１８と第２溝口２３によりふるい分け装置２０に残留した無機物を掃除でき、並びに適時に複合菌を付着させた殻体を補充することで、機台１０中の菌化効果を維持することができる。
【００２７】
以上の実施例は本考案の実施範囲を限定するものではなく、本考案に基づきなしうる細部の修飾或いは改変は、いずれも本考案の請求範囲に属するものとする。
【図面の簡単な説明】
【００２８】
【図１】本考案の断面図である。
【図２】本考案の駆動装置の分解図である。
【図３】本考案の第２実施例の断面図である。
【図４】本考案のフローチャートである。
【図５】本考案の第３実施例の断面図である。
【図６】本考案のふるい分け装置の第２実施例の断面図である。
【図７】本考案のふるい分け装置の第３実施例の断面図である。
【図８】本考案のふるい分け装置の第２実施例の分解図である。
【符号の説明】
【００２９】
１０  機台                      １１  収容室
１２  浄水室                    １３  導管
１４  濾過器                    １５  温度コントローラ
１６  管路                      １７  噴射孔
１８  第１溝口
２０  ふるい分け装置            ２１  収容空間
２２  貫通孔                    ２３  第２溝口
２４  突起部
３０  駆動装置                  ３１  駆動器
３２  伝動手段                  ３３  連動手段
３４  中空軸受                  ３５  滑動手段
４０  導入装置                  ４１  導入口
４２  導入管
５０  入水管                    ５１  制御弁
６０  殺菌装置
７０  第２導入装置              ７１  第２導入管
【図１】
0003101579.tif 000003
【図２】
0003101579.tif 000004
【図３】
0003101579.tif 000005
【図４】
0003101579.tif 000006
【図５】
0003101579.tif 000007
【図６】
0003101579.tif 000008
【図７】
0003101579.tif 000009
【図８】
0003101579.tif 000010